(57)【要約】【課題】  １層の表示媒体で構成することによって製造工程が複雑にならず、非表示領域を意識することなく表示スペースを有効に利用する。【解決手段】  液晶表示装置１は、共通電極５を有する第１透明基板２と、ＴＦＴ７とこれに接続された表示電極６を有する第２透明基板３と、両基板２，３間に注入された液晶層４と、第１透明基板２上に所定間隔を置いて設けられた複数の第１反射板８と、第１透明基板２の所定間隔を埋めるように第２透明基板３上に設けた複数の第２反射板９と、第１反射板８上に第１反射板８を被覆して４５°に傾斜配置された第１ミラー１１と、第１透明基板２上の所定間隔を被覆して第１ミラー１１と平行に配置された第１ハーフミラー１３と、第２反射板９上に第２反射板９を被覆して４５°に傾斜配置された第２ミラー２１と、第２透明基板３上の所定間隔を被覆して第２ミラー２１と平行に配置された第２ハーフミラー２３とを備えている。【選択図】    図１
2005084431.tif 000002
【特許請求の範囲】
【請求項１】
二次元状に配置された一または複数の第１表示面および第１反射板を有する第１透明基板と、二次元状に配置された一または複数の第２表示面および第２反射板を有する第２透明基板と、該第１透明基板と第２透明基板間に挟持された表示媒体とを備え、
該第１表示面は、該第２反射板に対向した第１透明基板の表面部であり、該第２表示面は、該第１反射板に対向した第２透明基板の表面部である表示装置であって、
該第１透明基板の該表示媒体側とは反対側に、該第２反射板で反射され該表示媒体を介した該第１表示面からの光を広げて出射する第１光学部材が設けられ、
該第２透明基板の該表示媒体側とは反対側に、該第１反射板で反射され該表示媒体を介した該第２表示面からの光を広げて出射する第２光学部材が設けられている表示装置。
【請求項２】
前記第１反射板は、前記第１透明基板の前記表示媒体側の面および、該第１透明基板の該表示媒体側とは反対側表面のいずれかに所定の間隔を開けて設けられ、
前記第２反射板は、前記第２透明基板の該表示媒体側の面および、該第２透明基板の該表示媒体側とは反対側表面のいずれかに所定の間隔を開けて設けられ、
該第１反射板は該第２透明基板の所定の間隔である前記第２表示面に対向し、該第２反射板は該第１透明基板の所定の間隔である前記第１表示面に対向している請求項１に記載の表示装置。
【請求項３】
前記第１光学部材は、画素部毎に、前記第１反射板の前記表示媒体側とは反対側表面上に、該第１反射板を被覆するサイズで所定角度傾斜して配置された第１反射部材と、前記第１表示面の該表示媒体側とは反対側表面上に、該第１表示面を被覆するサイズで該第１反射部材と平行に配置された第１ハーフミラーとを有し、
前記第２光学部材は、画素部毎に、前記第２反射板の該表示媒体側とは反対側表面上に、該第２反射板を被覆するサイズで所定角度傾斜して配置された第２反射部材と、前記第２表示面の該表示媒体側とは反対側表面上に、該第２表示面を被覆するサイズで該第２反射部材と平行に配置された第２ハーフミラーとを有する請求項１または２に記載の表示装置。
【請求項４】
前記第１反射部材および第２反射部材の少なくともいずれかは、ミラーおよびプリズムのいずれかである請求項３に記載の表示装置。
【請求項５】
前記第１光学部材は、画素部毎に、前記第１表示面の前記表示媒体側とは反対側表面上に第１レンズを有し、前記第２光学部材は、画素部毎に、前記第２表示面の該表示媒体側とは反対側表面上に第２レンズを有する請求項１または２に記載の表示装置。
【請求項６】
前記第１レンズおよび第２レンズの各出射面側にそれぞれ、前記表示面よりも広い開口部をそれぞれ有している請求項５に記載の表示装置。
【請求項７】
前記画素部の周囲に、隣接する画素部からの光を遮断する遮光膜が設けられている請求項３または５に記載の表示装置。
【請求項８】
前記第１透明基板の前記表示媒体側の面には共通電極が設けられ、前記第２透明基板の該表示媒体側の面には一または複数の表示電極および該表示電極に接続されたスイッチング素子が配設されている請求項１に記載の表示装置。
【請求項９】
走査配線が平行に複数設けられ、信号配線が該複数の走査配線と交叉するように平行に複数設けられ、両配線の交叉部毎に前記表示電極がそれぞれマトリクス状に配設され、該走査配線が前記スイッチング素子の制御領域に接続され、該信号配線が該スイッチング素子の一方駆動領域に接続され、該スイッチング素子の他方駆動領域が該表示電極に接続されている請求項８に記載の表示装置。
【請求項１０】
前記表示媒体は液晶である請求項１に記載の表示装置。
【請求項１１】
前記第１反射板および第２反射板は、平面視で１水平ラインで所定幅の直線帯状であって、１水平ライン毎に交互に配設されている請求項１または２に記載の表示装置。
【請求項１２】
前記第１反射板および第２反射板は、平面視で１垂直ラインで所定幅の直線帯状であって、１垂直ライン毎に交互に配設されている請求項１または２に記載の表示装置。
【請求項１３】
前記第１反射板および第２反射板は平面視で市松模様に配設されている請求項１または２に記載の表示装置。
【発明の詳細な説明】
【技術分野】
【０００１】
本発明は、例えば折り畳み式携帯電話装置などの表示画面に用いられる両面表示が可能な例えば液晶表示装置などの表示装置に関する。
【背景技術】
【０００２】
従来、折り畳み式の携帯電話装置などにおいて、折り畳まれたときに内側に位置するディスプレイ面と、そのディスプレイ面の裏面（折り畳まれたときに外側面）に位置するディスプレイ面とを有するものが採用されている。このように、両面表示を可能にするために、従来から、様々な液晶表示装置が提案されている。
【０００３】
例えば、特許文献１および特許文献２には、上側基板と下側基板との間に、電極を両面に有する中間基板を設けて、その中間基板と上側基板との間、および中間基板と下側基板との間のそれぞれに液晶層を注入することにより、両面表示を可能とした両面表示装置が開示されている。
【０００４】
また、特許文献３には、液晶パネルを二つの平面視領域に分割して、それぞれの領域の構成が対称となるように反射板と偏光板とを配置することにより、一方の領域は表面を表示面とし、他方の領域は裏面を表示面として、両面表示が行われる液晶表示装置が開示されている。
【特許文献１】特開２００１−２２２９４号公報
【特許文献２】特開２００１−２２３０３号公報
【特許文献３】特開２００１−２７７５６号公報
【発明の開示】
【発明が解決しようとする課題】
【０００５】
しかしながら、例えば特許文献１および特許文献２では、両面表示を可能にするために、液晶層が２層必要とされる。このため、製造工程が複雑になり、製造コストも高くなるという問題がある。
【０００６】
また、特許文献３では、表示面が二つの平面視領域に分割された各領域において、両面の表示面に対して互いに反対側の面が非表示領域になっており、表示面がその分小さくなると共に表示スペースのうち表示に寄与しない無駄なスペースが生じるという問題がある。
【０００７】
本発明は、上記従来の問題を解決するもので、１層の表示媒体によって製造工程が複雑にならず、非表示領域を意識することなく表示スペースを有効に利用することができる両面表示を可能とする表示装置を提供することを目的とする。
【課題を解決するための手段】
【０００８】
本発明の表示装置は、二次元状に配置された一または複数の第１表示面および第１反射板を有する第１透明基板と、二次元状に配置された一または複数の第２表示面および第２反射板を有する第２透明基板と、該第１透明基板と第２透明基板間に挟持された表示媒体とを備え、該第１表示面は、該第２反射板に対向した第１透明基板の表面部であり、該第２表示面は、該第１反射板に対向した第２透明基板の表面部である表示装置であって、該第１透明基板の該表示媒体側とは反対側に、該第２反射板で反射され該表示媒体を介した該第１表示面からの光を広げて出射する第１光学部材が設けられ、該第２透明基板の該表示媒体側とは反対側に、該第１反射板で反射され該表示媒体を介した該第２表示面からの光を広げて出射する第２光学部材が設けられており、そのことにより上記目的が達成される。
【０００９】
また、好ましくは、本発明の表示装置における第１反射板は、前記第１透明基板の前記表示媒体側の面および、該第１透明基板の該表示媒体側とは反対側表面のいずれかに所定の間隔を開けて設けられ、前記第２反射板は、前記第２透明基板の該表示媒体側の面および、該第２透明基板の該表示媒体側とは反対側表面のいずれかに所定の間隔を開けて設けられ、該第１反射板は該第２透明基板の所定の間隔である前記第２表示面に対向し、該第２反射板は該第１透明基板の所定の間隔である前記第１表示面に対向している。
【００１０】
さらに、好ましくは、本発明の表示装置における第１光学部材は、画素部毎に、前記第１反射板の前記表示媒体側とは反対側表面上に、該第１反射板を被覆するサイズで所定角度傾斜して配置された第１反射部材と、前記第１表示面の該表示媒体側とは反対側表面上に、該第１表示面を被覆するサイズで該第１反射部材と平行に配置された第１ハーフミラーとを有し、前記第２光学部材は、画素部毎に、前記第２反射板の該表示媒体側とは反対側表面上に、該第２反射板を被覆するサイズで所定角度傾斜して配置された第２反射部材と、前記第２表示面の該表示媒体側とは反対側表面上に、該第２表示面を被覆するサイズで該第２反射部材と平行に配置された第２ハーフミラーとを有する。
【００１１】
さらに、好ましくは、本発明の表示装置における第１反射部材および第２反射部材の少なくともいずれかは、ミラーおよびプリズムのいずれかである。
【００１２】
さらに、好ましくは、本発明の表示装置における第１光学部材は、画素部毎に、前記第１表示面の前記表示媒体側とは反対側表面上に第１レンズを有し、前記第２光学部材は、画素部毎に、前記第２表示面の該表示媒体側とは反対側表面上に第２レンズを有する。
【００１３】
さらに、好ましくは、本発明の表示装置における第１レンズおよび第２レンズの各出射面側にそれぞれ、前記表示面よりも広い開口部をそれぞれ有している。
【００１４】
さらに、好ましくは、本発明の表示装置における画素部の周囲に、隣接する画素部からの光を遮断する遮光膜が設けられている。
【００１５】
さらに、好ましくは、本発明の表示装置において、第１透明基板の前記表示媒体側の面には共通電極が設けられ、前記第２透明基板の該表示媒体側の面には一または複数の表示電極および該表示電極に接続されたスイッチング素子が配設されている。
【００１６】
さらに、好ましくは、本発明の表示装置において、走査配線が平行に複数設けられ、信号配線が該複数の走査配線と交叉するように平行に複数設けられ、両配線の交叉部毎に前記表示電極がそれぞれマトリクス状に配設され、該走査配線が前記スイッチング素子の制御領域（ゲート電極）に接続され、該信号配線が該スイッチング素子の一方駆動領域（ソース電極）に接続され、該スイッチング素子の他方駆動領域（ドレイン電極）が該表示電極に接続されている。
【００１７】
さらに、好ましくは、本発明の表示装置における表示媒体は液晶である。
【００１８】
さらに、好ましくは、本発明の表示装置における第１反射板および第２反射板は、平面視で１水平ラインで所定幅の直線帯状であって、１水平ライン毎に交互に配設されている。
【００１９】
さらに、好ましくは、本発明の表示装置における第１反射板および第２反射板は、平面視で１垂直ラインで所定幅の直線帯状であって、１垂直ライン毎に交互に配設されている。
【００２０】
さらに、好ましくは、本発明の表示装置における第１反射板および第２反射板は平面視で市松模様に配設されている。
【００２１】
上記構成により、以下に、本発明の作用について説明する。
【００２２】
本発明にあっては、第１透明基板と第２透明基板との間に液晶層などの１層の表示媒体が設けられ、第１透明基板上に第１反射板と、例えば第１ミラーおよび第１ハーフミラーなどを有する第１光学部材が設けられ、第２透明基板上に第２反射板と、例えば第２ミラーおよび第２ハーフミラーなどを有する第２光学部材が設けられている。このように、１層の表示媒体によって表示駆動されるので、製造工程が複雑にならない。
【００２３】
第１反射板の間隔部分は第２反射板と対向するように設けられており、その間隔部分を第１表示面として表示が行われる。このとき、第１反射板に向かって入射される外光は、第１光学部材の第１ハーフミラーを通過して第１表示面に向けて入射されると共に、第１ミラーや第１ハーフミラーなどの第１光学部材によって反射されて第１表示面に向けて入射される。このため、画素部に入射される光量が増加する。また、第１表示面から表示媒体に入射されて第２反射板で反射された光は、第１ハーフミラーを透過する光と、第１ハーフミラーや第１ミラーで反射されて出射される光とに分かれる。このため、見掛け上、第１表示面の大きさが２倍となり、第１反射板部分（非表示領域）を意識することなく、効率よく画面表示を行うことができる。
【００２４】
また同様に、第２反射板の間隔部分は第１反射板と対向するように設けられており、その間隔部分を第２表示面として表示が行われる。このとき、第２反射板に向かって入射される外光は、第２光学部材の第２光学部材の第２ハーフミラーを通過して第２表示面に向けて入射されると共に、第２ミラーや第２ハーフミラーなどの第２光学部材によって反射されて第２表示面に向けて入射される。このため、画素部に入射される光量が増加する。また、第２表示面から表示媒体に入射されて第１反射板で反射された光は、第２ハーフミラーを透過するか、または第２ハーフミラーや第２ミラーで反射されて出射される。このため、見掛け上、第２表示面の大きさが２倍となり、第２反射板部分（非表示領域）を意識することなく、効率よく画面表示を行うことができる。
【００２５】
さらに、各画素部の周囲に遮光膜を設けることによって、隣接する画素部のミラーやハーフミラーなどに光が漏れないように遮光することができる。
【発明の効果】
【００２６】
本発明によれば、第１反射板に対向する第２透明基板の表面と、第２反射板に対向する第１透明基板の表面とを各表示面としてこれらを拡大することにより、特許文献１および特許文献２のように二つの液晶層を用いる必要がなく、１層の液晶層によって両面表示を行うことができるため、製造工程が複雑にならず、装置の軽量化および小型化をも図ることができる。
【００２７】
また、表示面から出射された光を光学部材のハーフミラーやミラーなどで反射させることによって、見掛け上の画素部の大きさが広がり、非表示領域を意識することなく表示スペースを有効に利用して、両面表示を行うことができる。
【発明を実施するための最良の形態】
【００２８】
以下に、本発明の表示装置の実施形態１〜４を、液晶表示装置に適用した場合について図面を参照しながら説明する。
【００２９】
図１は、本発明の液晶表示装置の実施形態１〜４における基本構成を示す要部断面図である。
【００３０】
図１において、液晶表示装置１は、ガラスまたは光透過性の良いプラスチックなどからなる第１透明基板２と、この第１透明基板２に対して平行に配設され、第１透明基板２と同じ材料からなる第２透明基板３との間に、表示媒体としての液晶層４が注入されて設けられている。
【００３１】
第１透明基板２の液晶層４側の表面には共通電極５が設けられており、第２透明基板３の液晶層４側の表面には複数の表示電極６（絵素電極）および、各表示電極６毎にそれぞれ接続されたスイッチング素子７が複数設けられている。
【００３２】
即ち、第２透明基板３上において、複数のゲートバスライン（走査配線）が横方向に所定間隔でそれぞれ平行に配線され、これと直交（または交叉）する縦方向に複数のソースバスライン（信号配線）が所定間隔でそれぞれ平行に配線されて、両者が格子状（マトリクス状）に配設されている。また、隣接するゲートバスラインおよびソースバスラインで囲まれた各領域毎（または両配線の交叉部毎）に透明電極からなる各表示電極６（絵素電極）がマトリクス状にそれぞれ設けられている。
【００３３】
スイッチング素子７のゲート電極はその近傍のゲートバスライン（走査配線）に接続され、そのソース電極はその近傍のソースバスライン（信号配線）に接続され、そのドレイン電極は表示電極６（絵素電極）に接続されている。
【００３４】
このスイッチング素子７としては、ＴＦＴ(Thin Film Transistor；薄膜トランジスタ)などの半導体素子を用いることができる。また、互いに対向する共通電極５や表示電極６の電極パターンは、ドットマトリックス方式やセグメント方式、またはドットマトリックス方式とセグメント方式とを混在させたものなどを用いることができる。
【００３５】
第１透明基板２の液晶層４側とは反対側の表面部には、所定の間隔を開けて複数の第１反射板８が設けられている。また、第２透明基板３の液晶層４側とは反対側の表面部にも、所定の間隔を開けて複数の第２反射板９が設けられている。この第１反射板８と第２反射板９とは同じ間隔でそれぞれ平面視で交互に設けられており、第１反射板８は、第２反射板９の間隔部分（第２反射板９が設けられていない部分）と対向するように設けられている。第１透明基板２の鉛直方向（図１では下側）から見た場合（平面視）に、第１反射板８は、第２反射板９の間隔部分（第２反射板９が設けられていない部分）を埋めるように配置されている。また同様に、第２透明基板３の鉛直方向（図１では上側）から見た場合（平面視）に、第２反射板９は、第１反射板８の間隔部分（第１反射板８が設けられていない部分）を埋めるように配置されている。第２反射板９は、第１反射板８の間隔部分（第１反射板８が設けられていない状部分）と対向するように設けられている。これにより、第１反射板８と第２反射板９とは、互いに若干重なる部分を有しながら、液晶表示装置１の表裏面に対して交互に配設されている。なお、第１反射板８および第２反射板９の形状には、特に制限は無く、表示電極６または、表示電極６およびスイッチング素子７が被覆される程度以上の大きさであればよい。
【００３６】
また、第１透明基板２の液晶層４側と反対側の表面には、第１光学部材として、ガラスまたは光透過性のよいプラスチックなどを基材とした第１ミラーアレイ１０が設けられており、第２反射板９で反射され液晶層４を介した第１表示面１２からの光を広げて出射する。この第１ミラーアレイ１０内には、第１反射板８を被覆する大きさの第１ミラー１１（第１反射部材）が所定角度（４５°）に傾斜して配置されている。また、第１ミラーアレイ１０内には、第１反射板８の間隔部分である第１表示面１２を被覆する大きさの第１ハーフミラー１３（点線で示している）が第１ミラー１１に平行に配置されている。さらに、第１ミラー１１と、これに隣接する第１ハーフミラー１３とを含む第１単位表示面１４（画素部）の周囲を囲むように、隣接する画素部の第１ミラー１１や第１ハーフミラー１３からの反射光を遮断するために第１遮光膜１５が設けられている。この第１遮光膜１５は、光を吸収する黒色の膜、光を反射させる鏡面、隣接するミラーとの間に隙間を設けるスリットであってもよい。また、第１反射部材として、この第１ミラー１１に代えてプリズムなどを用いることもできる。
【００３７】
また、第２透明基板３の液晶層４側とは反対側の表面には、第２光学部材として、ガラスまたは光透過性のよいプラスチックなどを基材とした第２ミラーアレイ２０が設けられており、第１反射板８で反射され液晶層４を介した第１表示面２２からの光を広げて出射する。この第２ミラーアレイ２０内には、第２反射板９を被覆する大きさの第２ミラー２１（第２反射部材）が所定角度（４５°）に傾斜して配置されている。また、第２ミラーアレイ２０内には、第２反射板９の間隔部分である第２表示面２２を被覆する大きさの第２ハーフミラー２３（点線で示している）が第２ミラー２１に平行に配置されている。さらに、第２ミラー２１と、これに隣接する第２ハーフミラー２３とを含む第２単位表示面２４（画素部）の周囲を囲むように、隣接する画素部の第２ミラー２１や第２ハーフミラー２３からの反射光を遮断するために第２遮光膜２５が設けられている。この第２遮光膜２５は、光を吸収する黒色の膜、光を反射させる鏡面、隣接するミラーとの間に隙間を設けるスリットなどであってもよい。また、第２反射部材として、この第２ミラー２１に代えて、プリズムなどを用いることもできる。
【００３８】
この液晶表示装置１では、一方の表示画面においては、第２反射板９に対向する第１透明基板２の表面が第１表示面１２となっている。第１表示面１２から液晶層４に光が入射されて第２反射板９で反射され、第１表示面１２から出射された光の半分が第１ハーフミラー１３を透過すると共に、光の残りの半分が第１ハーフミラー１３で反射され、されに第１ミラー１１で反射されて画像が広げられ、第１単位表示面１４から１画素の画像光として出射される。また、他方の表示画面においては、第１反射板８に対向する第２透明基板３の表面が第２表示面２２となっている。この第２表示面２２から液晶層４に光が入射されて第１反射板８で反射され、第２表示面２２から出射された光の半分が第２ハーフミラー２３を透過すると共に、光の残りの半分が第２ハーフミラー２３および第２ミラー２１で反射されて画像が広げられ、第２単位表示面２４から１画素の画像光として出射される。
【００３９】
以下に、本発明の液晶表示装置について、具体的な実施形態１〜４を挙げてさらに詳細に説明する。
【００４０】
（実施形態１）
図２（ａ）は、本発明の液晶表示装置の実施形態１を第１透明基板側から見た平面図、図２（ｂ）は、図２（ａ）のＡ−Ａ線部分の断面図、図２（ｃ）は、本発明の液晶表示装置の実施形態１を第２透明基板側から見た平面図である。なお、図２では、共通電極５、表示電極６およびスイッチング素子７を省略して示している。
【００４１】
図２（ａ）〜図２（ｃ）において、液晶表示装置１Ａにおいて、第１反射板８および第２反射板９は、１水平表示ラインの表示電極６およびスイッチング素子７を覆う幅で、直線帯状（横方向のストライプ状）の形状を有している。また、第１反射板８および第２反射板９は１水平ライン毎に交互に配設されている。
【００４２】
図２（ａ）および図２（ｂ）のように、第１ミラー１１は、第１反射板８を覆う１水平ラインで所定幅の直線帯状（横方向のストライプ状）の形状を有しており、平面視において、第１ハーフミラー１３（第１表示面１２）の上下辺（長手方向）が第１ミラー１１（第１反射板８）に接し、遮光膜１５側の辺（長手方向）が第１単位表示面１４に接するように傾斜して配置されている。また、第１ハーフミラー１３は、ストライプ状の１水平表示ラインの第１表示面１２を覆う１水平ラインで所定幅の直線帯状（横方向のストライプ状）の形状を有しており、遮光膜１５側の辺（長手方向）が第１表示面１２に接し、第１ミラー１１と平行に配置されている。
【００４３】
また、図２（ｃ）および図２（ｂ）のように、第２ミラー２１は、第２反射板９を覆う１水平ラインで所定幅の直線帯状（横方向のストライプ状）の形状を有しており、第２表示面２２の上側の辺（長手方向）が第２反射板９に接し、遮光膜２５側の辺（長手方向）が第２単位表示面２４に接するように傾斜して配置されいる。また、第２ハーフミラー２３は、ストライプ状の１水平表示ラインの第２表示面２２を覆う１水平ラインで所定幅の直線帯状（横方向のストライプ状）の形状を有しており、遮光膜２５側の辺（長手方向）が第２表示面２２に接し、第２ミラー２１と平行に配置されている。
【００４４】
この液晶表示装置１Ａにおいて、表示面１２と第２反射板９との間に形成されている表示電極６に接続されたスイッチング素子７に、第１透明基板用の画像信号が入力されることにより、表示面１２と第１反射板９との間に形成されている表示電極６と共通電極５間に挟持された液晶層４において液晶分子の配向状態が変化され、第１透明基板２側の表示面１２による表示が行われる。
【００４５】
一方、表示面２２と第１反射板８との間に形成されている表示電極６に接続されたスイッチング素子７に、第２透明基板用の画像信号が入力されることにより、表示面２２と第１反射板８との間に形成されている表示電極６と共通電極５との間に挟持された液晶層４において液晶分子の配向状態が変化され、第２透明基板３側の表示面２２による表示が行われる。
【００４６】
このようにして、液晶表示装置１Ａの画面上に交互に、各１水平表示ラインの幅の第１反射板８および第２反射板９を交互に平行に配設することにより、両表示面（図２（ａ）および（ｃ）中に白で示す部分）に画像を表示させることができる。
【００４７】
さらに、図１に示すように、第１反射板８上に設けられた第１ミラー１１によって反射される外光１６は、第１ハーフミラー１３によって更に画素部（表示面１２）に向けて反射される光と、外部から直に第１ハーフミラー１３を通過する光とにより、この表示画素部（表示面１２）に入射する光量が増加する。また同様に、第２反射板９上に設けられた第２ミラー２１によって反射される外光２６は、第２ハーフミラー２３によって更に画素部（表示面２２）に向けて反射される光と、外部から直に第２ハーフミラー２３を通過する光とにより、この画素部（表示面２２）に入射される光量が増加する。
【００４８】
また、表示面１２から入射され、第２反射板９で反射された反射光１７は、第１ハーフミラー１３を通過する光と、第１ハーフミラー１３によって反射され、さらに第１ミラー１１によって第１単位表示面１４の方向に反射される光とに分けられる。このため、見掛け上の画素部の大きさが２倍になる。また同様に、表示面２２から入射され、第１反射板８で反射された反射光２７は、第２ハーフミラー２３を通過する光と、第２ハーフミラー２３によって反射され、さらに第２ミラー２１によって第２単位表示面２４の方向に反射される光とに分けられる。このため、見掛け上の画素部（表示面１２、２２）の大きさが２倍になる。
【００４９】
さらに、見掛け上の１画素部の周りに設けられた遮光膜１５，２５によって、隣接する画素部の第１ミラー１１および第２ミラー２１並びに第１ハーフミラー１３および第２ハーフミラー２３に互いに光が漏れないように遮光することができる。
【００５０】
（実施形態２）
図３（ａ）は、本発明の液晶表示装置の実施形態２を第１透明基板側から見た平面図、図３（ｂ）は、図３（ａ）のＡ−Ａ線部分の断面図、図３（ｃ）は、本発明の液晶表示装置の実施形態２を第２透明基板側から見た平面図である。なお、図３では、共通電極５、表示電極６およびスイッチング素子７を省略して示している。
【００５１】
図３（ａ）〜図３（ｃ）において、液晶表示装置１Ｂにおいて、第１反射板８および第２反射板９並びに第１ミラーアレイ１０の表示面１２および第２ミラーアレイ２０の表示面２２は１垂直ライン毎に交互に配設されている。それ以外の構成は、上記実施形態１の場合と同様である。
【００５２】
このように、液晶表示装置１Ｂの両面において、交互に、縦方向のストライプ状の１垂直表示ラインで所定幅の第１反射板８および第２反射板９を互いに平行に配設することにより、両表示面（図３（ａ）および図３（ｃ）中に白で示す部分）に画像を表示させることができる。
【００５３】
さらに、図１に示すように、第１反射板８上に設けられた第１ミラー１１によって反射される外光１６は、第１ハーフミラー１３によって更に表示画素部（表示面１２）に向けて反射される光と、外部から第１ハーフミラー１３を通過する光とにより、表示画素部（表示面１２）に入射する光量が増加する。また同様に、第２反射板９上に設けられた第２ミラー２１によって反射される外光２６は、第２ハーフミラー２３によって更に画素部（表示面２２）に向けて反射される光と、外部から第２ハーフミラー２３を通過する光とにより、この画素部（表示面２２）に入射される光量が増加する。
【００５４】
さらに、表示面１２から入射され、第２反射板９で反射された反射光１７は、第１ハーフミラー１３を通過する光と、第１ハーフミラー１３によって反射され、さらに第１ミラー１１によって第１単位表示面１４の方向に反射される光とに分けられる。このため、見掛け上の画素部（表示面１２）の大きさが２倍になる。また同様に、表示面２２から入射され、第１反射板８で反射された反射光２７は、第２ハーフミラー２３を通過する光と、第２ハーフミラー２３によって反射され、さらに第２ミラー２１によって第２単位表示面２４の方向に反射される光とに分けられる。このため、見掛け上の画素部（表示面２２）の大きさが２倍になる。
【００５５】
さらに、見掛け上の１画素部の周りに設けられた遮光膜１５，２５によって、隣接する画素部の第１ミラー１１および第２ミラー２１並びに第１ハーフミラー１３および第２ハーフミラー２３に互いに光が漏れないように遮光することができる。
【００５６】
（実施形態３）
図４（ａ）は、本発明の液晶表示装置の実施形態３を第１透明基板側から見た平面図、図４（ｂ）は、本発明の液晶表示装置の実施形態３を第２透明基板側から見た平面図である。なお、図４では、共通電極５、表示電極６およびスイッチング素子７を省略して示している。
【００５７】
図４（ａ）において、液晶表示装置１Ｃにおいて、第１反射板８（第１ミラー１１）および表示面１２（第１ハーフミラー１３）は１画素部の大きさであり、第１反射板８（第１ミラー１１；黒部分）および表示面１２（第１ハーフミラー１３；白部分）が市松模様に第１透明基板２上に配設されている。また、図４（ｂ）において、第２反射板９（第２ミラー２１）および表示面２２（第２ハーフミラー２３）は１画素部の大きさであり、第２反射板９（第２ミラー２１；黒部分）および表示面２２（第２ハーフミラー２３；白部分）が市松模様に第２透明基板３上に配設されている。それ以外の構成は、上記実施形態１の場合と同様である。
【００５８】
このように、液晶表示装置１Ｃの両面において、市松模様で第１反射板８および第２反射板９を配設することにより、両表示面１２，２２（図４（ａ）および図４（ｂ）中に白で示す部分）に画像を表示させることができる。
【００５９】
さらに、図１に示すように、第１反射板８上に設けられた第１ミラー１１によって反射される外光１６は、第１ハーフミラー１３によって更に表示画素部（表示面１２）に向けて反射される光と、外部から第１ハーフミラー１３を通過する光とにより、画素部（表示面１２）に入射する光量が増加する。また同様に、第２反射板９上に設けられた第２ミラー２１によって反射される外光２６は、第２ハーフミラー２３によって更に表示画素部（表示面２２）に向けて反射される光と、外部から第２ハーフミラー２３を通過する光とにより、この画素部（表示面２２）に入射される光量が増加する。
【００６０】
さらに、表示面１２から入射され、第２反射板９で反射された反射光１７は、第１ハーフミラー１３を通過する光と、第１ハーフミラー１３によって反射され、さらに第１ミラー１１によって第１単位表示面１４の方向に反射される光とに分けられる。このため、見掛け上の画素部（表示面１２）の大きさが２倍になる。また同様に、表示面２２から入射され、第１反射板８で反射された反射光２７は、第２ハーフミラー２３を通過する光と、第２ハーフミラー２３によって反射され、さらに第２ミラー２１によって第２単位表示面２４の方向に反射される光とに分けられる。このため、見掛け上の画素部（表示面２２）の大きさが２倍になる。
【００６１】
さらに、見掛け上の１画素部の周りに設けられた遮光膜１５，２５によって、隣接する画素部の第１ミラー１１および第２ミラー２１並びに第１ハーフミラー１３および第２ハーフミラー２３に互いに光が漏れないように遮光することができる。
【００６２】
なお、本実施形態３では、第１単位表示面１４において、第１ミラー１１と第１ハーフミラー１３とを左右に２分割して市松模様を構成し、第２単位表示面２４において、第２ミラー２１と第２ハーフミラー２３とを左右に２分割して市松模様を構成したが、これに限らず、第１単位表示面１４において、第１ミラー１１と第１ハーフミラー１３とを上下に２分割して市松模様を構成し、第２単位表示面２４において、第２ミラー２１と第２ハーフミラー２３とを上下に２分割して市松模様を構成してもよい。
【００６３】
以上により、上記実施形態１〜３によれば、液晶表示装置１（１Ａ〜１Ｃ）は、共通電極５を有する第１透明基板２と、ＴＦＴ７とこれに接続された表示電極６を有する第２透明基板３と、両基板２，３間に注入された液晶層４と、第１透明基板２上に所定間隔を置いて設けられた複数の第１反射板８と、第１透明基板２の所定間隔を埋めるように第２透明基板３上に設けた複数の第２反射板９と、第１反射板８上に第１反射板８を被覆して４５°に傾斜配置された第１ミラー１１と、第１透明基板２上の所定間隔（表示面１２）を被覆して第１ミラー１１と平行に配置された第１ハーフミラー１３と、第２反射板９上に第２反射板９を被覆して４５°に傾斜配置された第２ミラー２１と、第２透明基板３上の所定間隔（表示面２２）を被覆して第２ミラー２１と平行に配置された第２ハーフミラー２３とを備えている。これによって、第１反射板８に対向した第２透明基板３の表面（表示面２２）の光が第２ハーフミラー２３を通過すると共に第２ハーフミラー２３と第２ミラー２１とで反射され、また、第２反射板９に対向した第１透明基板２の表面（表示面１２）の光が第１ハーフミラー１３を通過すると共に第１ハーフミラー１３と第１ミラー１１で反射されて両面表示が行われる。この場合に、１層の液晶層４を用いるため、製造工程が複雑にならず、表示面１２，２２からの出射光が所定の光学素子で広げられるため、見掛け上、ミラー１１，２１の部分も表示に用いることができ、従来のように非表示領域を意識することなく表示スペースを有効に利用することができる。
【００６４】
（実施形態４）
上記実施形態１〜３では、表示スペースを有効に利用するべく、光学部材としてミラーおよびハーフミラーを用いて表示面１２，２２の大きさを２倍に広げたが、これに限らず、本実施形態４では、表示スペースを有効に利用するべく、光学部材としてレンズを用いて表示面１２，２２の大きさをそれよりも広げる場合について説明する。
【００６５】
上記実施形態１〜３における第１光学部材に代えて、画素部毎に、第１表示面１２の液晶層４側とは反対側表面上に第１レンズを配設し、また、その第２光学部材に代えて、画素部毎に、第２表示面２２の液晶層４側とは反対側表面上に第２レンズを配設する。さらに、第１レンズおよび第２レンズの各出射面側にそれぞれ、表示面１２，２２よりも広い各開口部（例えば丸形状）をそれぞれ有している。以上の点以外は、上記実施形態１〜３の場合と同様である。なお、第１レンズおよび第２レンズは、レンズ面積よりも広い開口部からの光を集めて表示面１２または２２を通して平行光または収束光を第１反射板８または第２反射板９上に照射するものであればよく、各種レンズ類を組み合わせたものであってもよい。
【００６６】
また、上記実施形態１〜４では、第１反射板８は第１透明基板２の液晶層４側とは反対側表面に所定の間隔を開けて設けられ、第２反射板９は第２透明基板３の液晶層４側とは反対側表面に所定の間隔を開けて設けられるように構成したが、これに限らず、第１反射板８は第１透明基板２の液晶層４側の面（対向電極５よりも外側）面所定の間隔を開けて設けられ、第２反射板９は第２透明基板３の液晶層４側の面（表示電極６よりも外側）に所定の間隔を開けて設けられるように構成してもよい。
【産業上の利用可能性】
【００６７】
折り畳み式携帯電話装置などの表示画面に用いられる両面表示が可能な例えば液晶表示装置などの表示装置の分野において、１層の表示媒体で構成することによって製造工程が複雑にならず、非表示領域を意識することなく表示スペースを有効に利用することができる。
【図面の簡単な説明】
【００６８】
【図１】本発明の液晶表示装置の実施形態１〜４における基本構成を示す要部断面図である。
【図２】（ａ）は、本発明の液晶表示装置の実施形態１を第１透明基板側から見た平面図、（ｂ）は、（ａ）のＡ−Ａ線部分の断面図、（ｃ）は、本発明の液晶表示装置の実施形態１を第２透明基板側から見た平面図である。
【図３】（ａ）は、本発明の液晶表示装置の実施形態２を第１透明基板側から見た平面図、（ｂ）は、（ａ）のＡ−Ａ線部分の断面図、（ｃ）は、本発明の液晶表示装置の実施形態２を第２透明基板側から見た平面図である。
【図４】（ａ）は、本発明の液晶表示装置の実施形態３を第１透明基板側から見た平面図、（ｂ）は、本発明の液晶表示装置の実施形態３を第２透明基板側から見た平面図である。
【符号の説明】
【００６９】
１，１Ａ〜１Ｃ  液晶表示装置
２  第１透明基板
３  第２透明基板
４  液晶層
５  共通電極
６  表示電極
７  スイッチング素子（ＴＦＴ）
８  第１反射板
９  第２反射板
１０  第１ミラーアレイ
１１  第１ミラー
１２、２２  表示面
１３  第１ハーフミラー
１４  第１単位表示面
１５  第１遮光膜
１６，２６  外光
１７，２７  反射光
２０  第２ミラーアレイ
２１  第２ミラー
２３  第２ハーフミラー
２４  第２単位表示面
２５  第２遮光膜
【図１】
2005084431.tif 000003
【図２】
2005084431.tif 000004
【図３】
2005084431.tif 000005
【図４】
2005084431.tif 000006